(57)【要約】【課題】測定動作の起動および実行の指令に係る操作部と、測色演算の条件の設定に係る操作部とが容易に判別可能な測色計を提供する。【解決手段】測色計は、筐体部と、該筐体部に設けられ、測色の動作の起動および実行の少なくとも一方の指令を発するための１以上の第１操作部と、筐体部に設けられ、測色の演算の条件を設定するための複数の第２操作部と、を備える。そして、該測色計が、複数の第２操作部が、１以上の第１操作部とは異なる外観特徴を有し且つ相互に同種の外観特徴を有する。【選択図】図１
2016090530.tif 000002
【特許請求の範囲】
【請求項１】
筐体部と、
前記筐体部に設けられ、測色の動作の起動および実行の少なくとも一方の指令を発するための１以上の第１操作部と、
前記筐体部に設けられ、測色の演算の条件を設定するための複数の第２操作部と、
を備え、
前記複数の第２操作部が、
前記１以上の第１操作部とは異なる外観特徴を有し且つ相互に同種の外観特徴を有することを特徴とする測色計。
【請求項２】
請求項１に記載の測色計であって、
前記１以上の第１操作部が、
複数の前記第１操作部を含み、
前記複数の第１操作部が、
相互に同種の外観特徴を有することを特徴とする測色計。
【請求項３】
請求項１または請求項２に記載の測色計であって、
前記複数の第２操作部が、
前記筐体部と同種の色を有することを特徴とする測色計。
【請求項４】
筐体部と、
前記筐体部に設けられ、第１機能グループに属する機能の実行の指令を発するための１以上の第１操作部と、
前記筐体部に設けられ、前記第１機能グループとは異なる第２機能グループに属する機能の実行の指令を発するための複数の第２操作部と、
を備え、
前記複数の第２操作部が、
前記１以上の第１操作部とは異なる外観特徴を有し、且つ相互に共通する外観特徴を有することを特徴とする測色計。
【請求項５】
請求項４に記載の測色計であって、
前記第１機能グループが、
使用頻度が高い機能グループであり、
前記第２機能グループが、
使用頻度が低い機能グループであり、
前記１以上の第１操作部の色と前記筐体部の色とのコントラストが、前記複数の第２操作部の色と前記筐体部の色とのコントラストよりも高いことを特徴とする測色計。
【請求項６】
請求項５に記載の測色計であって、
前記複数の第２操作部が、
前記筐体部と同種の色を有することを特徴とする測色計。
【発明の詳細な説明】
【技術分野】
【０００１】
本発明は、測色計に関する。
【背景技術】
【０００２】
従来、表面に色彩を有する工業製品については、同一色の製品を製造して出荷するために、色の管理を行う装置として、色を測定するための測色計が知られ、利用されている（例えば、特許文献１等）。
【０００３】
このような測色計においては、ユーザーの操作に応じて、測色計に対する測定動作の指令等の付与、および測色演算の条件の設定を行うための操作部が設けられた携帯式の測色計が提案されている（例えば、特許文献１等）。
【０００４】
測色演算の条件としては、例えば、１回の測色における測定平均回数、合否判定の許容値、測定径、正反射光の除去処理の有無、測色値の計算時の視野角、光源および表色系等が挙げられる。１回の測色における測定平均回数は、例えば、複数回の測色結果の平均値を算出する際の測定回数等である。合否判定の許容値は、例えば、基準となる物体の測定値を基準とした許容範囲を設定するための値等である。測定径は、例えば、測色計の測定開口を規定するマスクに応じて決定される測定開口の径等である。正反射光の除去処理の有無は、例えば、正反射光の受光をカットするためのトラップ部材の進退状態等である。測定値の計算時の視野角は、例えば、２°視野および１０°視野等である。光源は、例えば、どのような光源の下に仮想的に配された物体に係る測色値であるのかを規定するもの等である。表色系は、例えば、ＸＹＺ表色系等の各種表色系であれば良い。
【先行技術文献】
【特許文献】
【０００５】
【特許文献１】特開２００６−１５３４９８号公報
【発明の概要】
【発明が解決しようとする課題】
【０００６】
ところで、測色計では、一般に、測色演算の条件については、一度設定されると、変更される機会が少なく、電源の起動後には、ユーザーによって測定動作を実行させる操作部が操作される。
【０００７】
しかしながら、上記特許文献１の測色計では、測色計に対して測定動作の実行の指令等を付与する操作部と、測色演算の条件を設定するための操作部とが同様なデザインおよび寸法を有している。このため、測定動作の起動および実行の指令に係る１以上の操作部と、測色演算の条件を設定するための操作部とを、容易に判別することが出来ない。
【０００８】
本発明は、上記課題に鑑みてなされたものであり、測定動作の起動および実行の指令に係る操作部と、測色演算の条件の設定に係る操作部とが容易に判別可能な測色計を提供することを目的とする。
【課題を解決するための手段】
【０００９】
上記課題を解決するために、第１の態様に係る測色計は、筐体部と、前記筐体部に設けられ、測色の動作の起動および実行の少なくとも一方の指令を発するための１以上の第１操作部と、前記筐体部に設けられ、測色の演算の条件を設定するための複数の第２操作部と、を備え、前記複数の第２操作部が、前記１以上の第１操作部とは異なる外観特徴を有し且つ相互に同種の外観特徴を有する。
【００１０】
また、第２の態様に係る測色計は、第１の態様に係る測色計であって、前記１以上の第１操作部が、複数の前記第１操作部を含み、前記複数の第１操作部が、相互に同種の外観特徴を有する。
【００１１】
また、第３の態様に係る測色計は、第１または第２の態様に係る測色計であって、前記複数の第２操作部が、前記筐体部と同種の色を有する。
【００１２】
また、第４の態様に係る測色計は、筐体部と、前記筐体部に設けられ、第１機能グループに属する機能の実行の指令を発するための１以上の第１操作部と、前記筐体部に設けられ、前記第１機能グループとは異なる第２機能グループに属する機能の実行の指令を発するための複数の第２操作部と、を備え、前記複数の第２操作部が、前記１以上の第１操作部とは異なる外観特徴を有し、且つ相互に共通する外観特徴を有する。
【００１３】
また、第５の態様に係る測色計は、第４の態様に係る測色計であって、前記第１機能グループが、使用頻度が高い機能グループであり、前記第２機能グループが、使用頻度が低い機能グループであり、前記１以上の第１操作部の色と前記筐体部の色とのコントラストが、前記複数の第２操作部の色と前記筐体部の色とのコントラストよりも高い。
【００１４】
また、第６の態様に係る測色計は、第５の態様に係る測色計であって、前記複数の第２操作部が、前記筐体部と同種の色を有する。
【発明の効果】
【００１５】
第１の態様に係る測色計によれば、測定動作の起動および実行の指令に係る操作部と、測色演算の条件の設定に係る操作部とが容易に判別され得る。これにより、例えば、誤操作の防止によって、操作に要する無駄を低減し、作業時間が短縮され得る。また、例えば、操作部が、同一の構成で製造され得ることで、測色計の製造コストが低減され得る。
【００１６】
第２の態様に係る測色計によれば、測定動作の起動および実行の指令に係る操作部と、測色演算の条件の設定に係る操作部とがさらに容易に判別され得る。
【００１７】
第３の態様に係る測色計によれば、測定動作の起動および実行の指令に係る操作部が、容易に認識され得る。
【００１８】
第４の態様に係る測色計によれば、例えば、第１機能グループに測定動作の起動および実行の指令に係る機能が属し、第２機能グループに測色演算の条件の設定に係る機能が属する場合には、測定動作の起動および実行の指令に係る操作部と、測色演算の条件の設定に係る操作部とが容易に判別され得る。
【００１９】
第５の態様に係る測色計によれば、測定動作の起動および実行の指令に係る操作部が、容易に認識され得る。
【００２０】
第６の態様に係る測色計によれば、測定動作の起動および実行の指令に係る操作部が、さらに容易に認識され得る。
【図面の簡単な説明】
【００２１】
【図１】一実施形態に係る測色システムの外観を示す正面図である。
【図２】一実施形態に係る測色システムの外観を示す側面図である。
【図３】一実施形態に係る測色システムの外観を示す背面図である。
【図４】一実施形態に係る測色計の機能的な構成を示すブロック図である。
【図５】測色動作の起動および実行の指令に係る第１操作部の操作態様を示す図である。
【図６】測色演算の条件を設定する際における第２操作部の操作態様を示す図である。
【図７】測色演算の条件を設定および変更するためのメニュー画面を例示する図である。
【図８】一変形例に係る測色計の機能的な構成を示すブロック図である。
【図９】一変形例に係る測色計のタッチパネルにおける表示態様を示す図である。
【図１０】一変形例に係る測色計のタッチパネルにおける表示態様を示す図である。
【発明を実施するための形態】
【００２２】
以下、本発明の一実施形態ならびに各種変形例について図面を用いて説明する。図面においては同様な構成および機能を有する部分については同じ符号が付されており、下記説明では重複説明が省略される。図面は模式的に示されたものであり、各図における各種構造のサイズおよび位置関係等は適宜変更され得る。図１から図３には、測色システム１の長手方向（図１の図面視上方向）を＋Ｚ方向とする右手系のＸＹＺ座標系が付されている。
【００２３】
＜(１)測色システムの外観構成＞
図１から図３は、一実施形態に係る測色システム１の外観を示す図である。図１は、一実施形態に係る測色システム１の外観を示す正面図であり、図２は、一実施形態に係る測色システム１の外観を示す側面図であり、図３は、一実施形態に係る測色システム１の一部の外観を示す背面図である。
【００２４】
図１から図３で示されるように、測色システム１は、本体部である測色計として機能する携帯式の測色計２とマスク部材３とを備えている。
【００２５】
測色計２は、筐体部２ＢＤと、該筐体部２ＢＤの表面に設けられて外部に露出している表示部２４および操作部２６とを有している。筐体部２ＢＤは、例えば、測色システム１の略直方体状の形状を有する外装部分を構成している。該筐体部２ＢＤの素材として、例えば、プラスチックス等が採用されることで、筐体部２ＢＤについての設計の自由度、軽量化および製造コストの低減等が図られ得る。
【００２６】
また、図１および図２で示されるように、測色システム１では、測色計２の先端部２Ｔｐに対して、照明受光部２３（図４）を覆うようにマスク部材３が装着される。
【００２７】
マスク部材３は、測色計２の先端部２Ｔｐに装着される部材である。具体的には、マスク部材３は、測色対象物の測色が行われる際に、測色計２の先端部２Ｔｐに装着されており、例えば、測色対象物に接触させられる。また、マスク部材３は、本体部３ＢＤおよび装着部３ＡＴを有している。
【００２８】
本体部３ＢＤには、測色対象物のうちの測色の対象となる領域（測色対象領域とも言う）のサイズを規定する窓部が設けられている。なお、マスク部材３は、例えば、ターゲットマスク等とも称される。該窓部としては、例えば、ＸＹ断面が略円形のものが採用され得る。該窓部は、例えば、貫通孔であっても良いし、光を透過させる透明部分であっても良い。そして、該窓部は、マスク部材３が測色計２に装着された状態（装着状態とも言う）において測色計２の先端部２Ｔｐに設けられた窓部と光学的に連通する。
【００２９】
装着部３ＡＴは、マスク部材３を測色計２の一端部としての先端部２Ｔｐに装着するための部分である。そして、マスク部材３は、測色計２に対する装着および脱着（着脱とも言う）が可能な構成を有している。
【００３０】
＜(２)測色計の機能的な構成＞
図４は、一実施形態に係る測色計２の機能的な構成を例示するブロック図である。
【００３１】
図４で示されるように、測色計２は、制御部２１、記憶部２２、照明受光部２３、表示部２４、給電部２５および操作部２６を備えている。
【００３２】
記憶部２２は、不揮発性の記憶媒体等によって構成され、例えば、プログラムＰ１、データ群Ｄ１および基準色データＤ２を記憶する。データ群Ｄ１には、例えば、測色演算の条件に係るデータ（条件データとも言う）および校正データ等が含まれる。条件データには、例えば、１回の測色における測定平均回数、合否判定の許容値、測定径、正反射光の除去処理の有無、測色値の計算時の視野角、光源および表色系等に係るデータが挙げられる。
【００３３】
また、校正データには、例えば、マスク部材３の種類に応じた複数の校正データが含まれている。各校正データは、照明受光部２３のセンサー部２３２で得られるデータから、測色結果のデータ（測色結果データとも言う）としての測色対象物の色に係るデータを算出する演算（測色演算とも言う）で用いられる。基準色データＤ２は、例えば、測定対象物としての基準の試料（基準試料とも言う）についての測色結果を示すデータである。プログラムＰ１およびデータ群Ｄ１は、例えば、測色計２の製造段階から出荷段階における何れかのタイミングにおいて、記憶部２２に記憶され得る。
【００３４】
照明受光部２３は、積分球２３０、光源部２３１およびセンサー部２３２を有している。本実施形態では、測色計２は、該測色計２の−Ｚ方向の一端部としての先端部２Ｔｐの近傍において、積分球２３０を含む照明受光部２３を内蔵している。
【００３５】
積分球２３０は、光をほぼ完全に拡散反射（乱反射）する硫酸バリウム等の白色塗料が内面に塗布された中空の球状体である。また、積分球２３０は、例えば、第１〜第３窓部を有している。第１窓部は、積分球２３０の内部空間を外部空間に光学的に露出させる。なお、該内部空間を外部空間に光学的に露出させる態様には、例えば、第１窓部を貫通孔とする態様、および第１窓部が光を透過させる透明な部分で構成される態様等が含まれ得る。第２窓部は、光源部２３１からの光を積分球２３０の内部空間を介して測色対象物に照射させる小窓である。第３窓部は、測色対象物からの光を、内部空間２３０Ｓを介してセンサー部２３２まで導く小窓である。ここで、センサー部２３２は、光源部２３１から発せられる光が直接入射されず、且つ第３窓部を介して積分球２３０の内部に露出するように配されている。
【００３６】
光源部２３１は、制御部２１の発光制御部２１４の制御に応じて発光する。ここでは、光源部２３１で発せられる光は、第２窓部および第１窓部を順に介して測色対象物の表面に照射される。なお、第１窓部としては、例えば、ＸＹ断面が略円形のものが採用され得る。
【００３７】
センサー部２３２は、測色対象物からの光を第１窓部および第３窓部を順に介して受光する。具体的には、センサー部２３２では、光源部２３１で照明される測色対象物の表面で発せられて積分球２３０内に入射される光が受光される。ここで、測色対象物の表面では、例えば、反射および蛍光の何れか一方の現象によって光が発せられ得る。また、センサー部２３２は、例えば、受光した光を分光する分光部と、該分光部から出射される各波長の光をそれぞれ受光する複数の光電変換素子とを有している。このため、センサー部２３２では、受光した光における各波長の光の強度に応じたデータが取得される。該データは、例えば、アナログ信号からデジタル信号へ変換され、読出部２１５によって読み出される。
【００３８】
表示部２４は、例えば、液晶ディスプレイ等を備えて構成されており、各種情報を可視的に出力する。
【００３９】
給電部２５は、例えば、バッテリー等を有しており、測色計２Ａの全体に対して電力を供給する。
【００４０】
操作部２６は、ユーザーによる各種操作に応じた信号を制御部２１に出力する。例えば、操作部２６は、１以上の第１操作部２６１と複数の第２操作部２６２とを含んでいる。具体的には、操作部２６は、筐体部２ＢＤに設けられた、測色の動作の起動および実行の少なくとも一方の指令を発するための１以上の第１操作部２６１を含むとともに、操作部２６は、筐体部２ＢＤに設けられ、測色の演算の条件を設定するための複数の第２操作部２６２を含む。そして、複数の第２操作部２６２は、１以上の第１操作部２６１とは異なる外観特徴を有し、且つ相互に同種の外観特徴を有する。
【００４１】
ここで、同種の外観特徴には、例えば、操作部の色および形のうちの少なくとも一方が同一および同種の傾向を有する特徴が含まれる。同一および同種の傾向を示す形としては、例えば、丸っぽい特徴および四角っぽい特徴等が含まれる。
【００４２】
このような構成によれば、測定動作の起動および実行の指令に係る第１操作部２６１と、測色演算の条件の設定に係る第２操作部２６２とが容易に判別され得る。これにより、例えば、誤操作の防止によって、操作に要する無駄を低減し、作業時間が短縮され得る。
【００４３】
ここで、別の観点から言えば、第１操作部２６１は、第１機能グループに属する機能の実行の指令を発するための１以上の操作部であり、第２操作部２６２は、第１機能グループとは異なる第２機能グループに属する機能の実行の指令を発するための操作部である。そして、複数の第２操作部２６２は、１以上の第１操作部２６１とは異なる外観特徴を有し、且つ相互に同種の外観特徴を有する。このような構成では、例えば、第１機能グループに測定動作の起動および実行の指令に係る機能が属し、第２機能グループに測色演算の条件の設定に係る機能が属する場合には、測定動作の起動および実行の指令に係る第１操作部２６１と、測色演算の条件の設定に係る第２操作部２６２とが容易に判別され得る。
【００４４】
そして、第１機能グループが、使用頻度が高い機能グループであるとともに、第２機能グループが、使用頻度が低い機能グループであり、１以上の第１操作部２６１の色と筐体部２ＢＤの色とのコントラストが、複数の第２操作部２６２の色と筐体部２ＢＤの色とのコントラストよりも高ければ、測定動作の起動および実行の指令に係る第１操作部２６１が、容易に認識され得る。具体的には、例えば、筐体部２ＢＤが白色であり、操作部２６の色が青色系である場合、紺色の第１操作部２６１と白色の筐体部２ＢＤとのコントラスト比が８：１であり、水色の第２操作部２６２と白色の筐体部２ＢＤとのコントラスト比が３：１である態様が挙げられる。
【００４５】
また、例えば、第２操作部２６２が、同一の構成で製造され得ることで、測色計２の製造コストが低減され得る。複数の第２操作部２６２には、例えば、メニューボタン２６２ｍ、上ボタン２６２ｕおよび下ボタン２６２ｄが含まれている。
【００４６】
ところで、本実施形態では、１以上の第１操作部２６１は、複数の第１操作部２６１を含んでおり、該複数の第１操作部２６１は、相互に同種の外観特徴を有している。これにより、測定動作の起動および実行の指令に係る第１操作部２６１と、測色演算の条件の設定に係る第２操作部２６２とがさらに容易に判別され得る。
【００４７】
また、例えば、第１操作部２６１が、同一の構成で製造され得ることで、測色計２の製造コストが低減され得る。複数の第１操作部２６１には、例えば、電源ボタン２６１ａ、基準色ボタン２６１ｔ、および測定ボタン２６１ｍが含まれる。このような測色動作を起動および実行を行う第１操作部２６は、上述したように、同種の外観特徴を有する。本実施形態では、複数の第１操作ボタン２６１は、灰色で丸形の外観特徴を有しており、測色計２の筐体部２ＢＤの色（白）とは異なる色を有している。
【００４８】
また、複数の第２操作部２６２が、筐体部２ＢＤと同種の色を有していれば、複数の第２操作部２６２が目立たないため、逆に、測定動作の起動および実行の指令に係る第１操作部２６１が容易に認識され得る。なお、同種の色は、視覚的に類似した色として認識されるものであり、例えば、２４色相を有する色相環において、色相差が２以下あるいは３以下の範囲に入るものであれば良い。ここで、測色計２では、１回の測色における測定平均回数および合否判定の許容値等が設定される必要があり、測色演算の条件は、通常は、一度設定されれば、変更されることは殆どない。これに対し、通常は、測色動作の起動および実行を指令するボタンのみが操作される。
【００４９】
このため、第２操作部２６２の形状は、例えば、殆ど同じように見え、目立たなければ良く、大きさが異なっていても良いし、丸および正方形と区別がつけば良い。本実施形態では、測色演算の条件の設定に係るボタンは、ほぼ長方形の形状を有しており、測色計２の筺体部２ＢＤとほぼ等しい色（白）を有している。なお、第２操作部２６２の各ボタン２６１ａ，２６１ｔ，２６１ｍの形状は、丸とは異なる。
【００５０】
制御部２１は、中央演算部（ＣＰＵ）および揮発性のメモリー等を有しており、記憶部２２に記憶されているプログラムＰ１を読み込んで実行することで、各種機能を実現する。ここで、制御部２１において機能的に実現される構成には、例えば、起動部２１１、設定部２１２、測色制御部２１３、発光制御部２１４、読出部２１５、演算部２１６、表示制御部２１７および記憶制御部２１８が含まれる。
【００５１】
起動部２１１は、例えば、ユーザーによる電源ボタン２６１ａの操作等に応答して、測色計２の電源が入っている状態となる。つまり、測色動作の起動がなされる。これにより、ユーザーによる測定ボタン２６１ｍの押下に応答した測色動作の実行が可能な状態となる。
【００５２】
設定部２１２は、例えば、第２操作部２６２の操作等に応答して、測色演算の条件を設定する。ここで設定される測色演算の条件を示すデータ（測色演算条件データとも言う）は、記憶制御部２１８によって記憶部２２に記憶される。このとき、データ群Ｄ１には、測色演算用の条件データが含まれる。また、設定部２１２は、例えば、第２操作部２６２の操作等に応答して、表示制御部２１７による各種情報の可視的な出力の条件を設定する。
【００５３】
測色制御部２１３は、例えば、測定ボタン２６１ｍの操作等に応答して、被測定物の表面の色を測定する動作（測色動作とも言う）を制御する。
【００５４】
発光制御部２１４は、例えば、測色制御部２１３の制御によって、光源部２３１の発光を制御する。
【００５５】
読出部２１５は、センサー部２３２において受光に応じて得られるデータを適切なタイミングで読み出して、演算部２１６に出力する。
【００５６】
演算部２１６は、読出部２１５から入力されるデータに基づいて、測色結果データとしての測色対象物の色に係るデータを算出する測色演算を行う。該測色演算には、例えば、１回の測色における測定平均回数に応じた連続する複数回の測定結果の平均値の算出、ならびに測定結果または測定結果の平均値が基準色データＤ２を基準とした許容値内に入るか否かによる合否の判定等が含まれる。該測色演算では、記憶部２２内のデータ群Ｄ１のうちの測色演算の条件に係るデータおよびマスク部材３の種類に応じた校正データが用いられる。マスク部材３の種類に応じた校正データは、例えば、ユーザーによる第２操作部２６２の操作等に基づいて選択され得る。なお、演算部２１６で算出される測色対象物の色に係るデータには、例えば、測色対象物の物体色を示すデータが含まれ得る。この場合、センサー部２３２の複数の光電変換素子で得られるデータから、測色対象物の物体色を示すデータが算出され得る。
【００５７】
表示制御部２１７は、表示部２４における各種情報の可視的な出力を制御する。例えば、表示制御部２１７によって、演算部２１６で算出された測色結果データが、表示部２４に可視的に出力され得る。
【００５８】
記憶制御部２１８は、演算部２１６で算出された測色結果データあるいは設定部２１２で設定された各種設定条件のデータ等を記憶部２２に記憶する。ここで記憶部２２に記憶されるデータには、例えば、基準色データＤ２およびデータ群Ｄ１が含まれ、データ群Ｄ１には、例えば、測色演算の条件に係る条件データおよび校正データ等が含まれる。
【００５９】
＜(３)測色計の動作＞
＜(３−１)第１操作部の動作＞
図５は、測色計２における測色動作の起動および実行の指令に係る第１操作部２６１の操作態様の一例を図である。図５には、下記ステップ［Ａ］〜［Ｆ］が順に行われる例が示されている。
【００６０】
［Ａ］まず、ユーザーによって電源ボタン２６１ａが押下されることで、起動部２１１によって、測色計２の電源が入っている状態となり、測色動作が起動される。
【００６１】
［Ｂ］次に、ユーザーによって基準色ボタン２６１ｔが押下されることで、基準試料についての測色動作を行う直前の待機状態に設定される。
【００６２】
［Ｃ］次に、一連の測色動作が実行される。該一連の測色動作においては、ユーザーによって測定ボタン２６１ｍが押下されると、測色動作が実行される。このとき、基準試料についての測色結果を示すデータ（基準色データとも言う）Ｄ２が、記憶制御部２１８によって記憶部２２に記憶されるとともに、表示制御部２１７によって表示部２４に表示される。次に、ユーザーによって測定ボタン２６１ｍが押下されると、測色動作が実行される。このとき、被測定物についての測色結果を示すデータが、表示制御部２１７によって表示部２４に表示される。このような、ユーザーによって測定ボタン２６１ｍの押下による測色動作の実行が適宜繰り返される。このような一連の測色動作は、例えば、１つのロットに係る被測定物についての測色動作に対応する。なお、基準試料は、例えば、１つのロットの最初の被測定物であれば良い。
【００６３】
［Ｄ］また、ユーザーによって基準色ボタン２６１ｔが押下されると、記憶部２２に記憶されている基準色データＤ２が削除されて、基準試料についての測色動作を行う直前の待機状態に設定される。
【００６４】
［Ｅ］次に、上記ステップ［Ｃ］と同様な一連の測色動作が再度実行される。このような一連の測色動作は、例えば、他の１つのロットに係る被測定物についての測色動作に対応する。なお、基準試料は、例えば、１つのロットの最初の被測定物であれば良い。
【００６５】
［Ｆ］そして、ユーザーによって電源ボタン２６１ａが押下されることで、測色計２の電源が入っていない状態となる。
【００６６】
なお、上記ステップ［Ｂ］については、測色計２の電源が入れられたばかりの状態であり、記憶部２２に基準色データＤ２が記憶されていないため、例えば、基準色ボタン２６１ｔの押下が省略されても良い。この場合、例えば、測色計２の電源が入れられた直後の被測定物の測色によって得られるデータが、記憶部２２に基準色データＤ２として記憶されても良い。また、基準試料の測定が行われず、例えば、被測定物の絶対色が測定される場合には、基準色ボタン２６１ｔの押下が省略されても良い。
【００６７】
＜(３−２)第２操作部の動作＞
図６は、測色計２における測色演算の条件を設定するための第２操作部２６２の操作態様の一例を示す図である。図６には、下記ステップ［ａ］〜［ｃ］が順に行われる例が示されている。図７は、測色演算の条件を設定および変更するためのメニュー画面を例示する図である。
【００６８】
［ａ］例えば、ユーザーによってメニューボタン２６２ｍが押下されると、図７で示されるようなメニュー画面が表示部２４に表示される。メニュー画面には、複数の項目が列挙されている。なお、図７のメニュー画面には、「戻る」「やり直し」「平均リセット」「言語設定」の４項目が列挙されている。ここで、「平均リセット」は、平均測定回数のリセットを行うための項目であり、「言語設定」は、日本語表記および英語表記等の言語表記を変更および設定する項目である。
【００６９】
［ｂ］次に、ユーザーによる上ボタン２６２ｕおよび下ボタン２６２ｄの押下によって、例えば、枠状のカーソルを上下に移動させることで、メニュー画面において、複数の項目のうちの所望の項目にカーソルが合わせられる。
【００７０】
［ｃ］次に、ユーザーによってメニューボタン２６２ｍが押下されると、メニュー画面でカーソルが合わせられている所望の項目が選択される。
【００７１】
なお、ここでは、メニューボタン２６２ｍが、所謂メニューボタンだけに限られず、決定ボタンとしての機能も有しているが、メニューボタン２６２ｍとは別に決定ボタンが設けられても良い。
【００７２】
＜(４)変形例＞
なお、本発明は上述の一実施形態に限定されるものではなく、本発明の要旨を逸脱しない範囲において種々の変更、改良等が可能である。
【００７３】
例えば、上記一実施形態では、表示部２４と操作部２６とが完全に別々に設けられていたが、これに限られない。例えば、操作部２６の少なくとも一部の機能が、例えば、表示部２４と一体的に構成されたタッチパネルによって実現されても良い。ここで、具体例を挙げて説明する。
【００７４】
図８は、一変形例に係る測色計２Ａの機能的な構成を示すブロック図である。
【００７５】
測色計２Ａは、測色計２がベースとされて、表示部２４がタッチパネル２４Ａに変更され、操作部２６が操作部２６Ａに変更されたものである。タッチパネル２４Ａは、表示部２４がベースとされて第２操作部２６２の機能が表示部２４に加えられたものであり、操作部２６Ａは、操作部２６がベースとされて該操作部２６から第２操作部２６２が除かれたものである。
【００７６】
図９および図１０は、一変形例に係る測色計２Ａのタッチパネル２４Ａにおける表示態様を例示する図である。
【００７７】
図９で示される表示画面では、主に測定に係る表示領域２４１が示され、下部に第２操作部２６２の１つとしての設定メニューボタン２６２０が示されている。ここで、設定メニューボタン２６２０がユーザーによって押下されると、図１０で示される設定メニュー画面に遷移する。
【００７８】
図１０で示される設定メニュー画面には、第２操作部２６２としての測定平均回数ボタン２６２１、合否の許容値ボタン２６２２、測定径ボタン２６２３、正反射光の除去ボタン２６２４、視野角ボタン２６２５および光源ボタン２６２６ならびに戻るボタン２６２７が設けられている。
【００７９】
また、上記一実施形態では、第１操作部２６１の数が２以上であったが、これに限られない。例えば、第１操作部２６１の数が１つであっても良い。例えば、第１操作部２６１が予め設定された所定時間を超えた押下（いわゆる長押し）によって、電源ボタンとしての機能を果たし、第１操作部２６１が予め設定された所定時間以下の押下によって、測定ボタンとしての機能を果たしても良い。
【００８０】
また、上記一実施形態では、第１操作部２６１が灰色であり、第２操作部２６２が筐体部２ＢＤと同種の色としての白色であったが、これに限られない。例えば、第１操作部２６１が有彩色であり、第２操作部２６２が無彩色等であれば、第２操作部２６２が筐体部２ＢＤと同種の色でなくとも、第１操作部２６１が目立ち、第２操作部２６２が目立たないため、第１操作部２６１と第２操作部２６２とが容易に判別され得る。また、操作される頻度が予め設定された所定回数以下の低いボタンが、黄色等の押下させないような注意を喚起する色を有していても良い。
【００８１】
また、上記一実施形態では、第１操作部２６１および第２操作部２６２についての色について説明されたが、第１操作部２６１および第２操作部２６２の色は、例えば、各操作部２６１，２６２の表面そのものの色であっても良いし、各操作部２６１，２６２の透明な表面を介して見える内部の色であっても良い。
【００８２】
なお、上記一実施形態および各種変形例をそれぞれ構成する全部または一部を、適宜、矛盾しない範囲で組み合わせ可能であることは、言うまでもない。
【符号の説明】
【００８３】
１  測色システム
２，２Ａ  測色計
２ＢＤ  筐体部
３  マスク部材
２１  制御部
２２  記憶部
２３  照明受光部
２４  表示部
２４Ａ  タッチパネル
２５  給電部
２６，２６Ａ  操作部
２１１  起動部
２１２  設定部
２１３  測色制御部
２１４  発光制御部
２１５  読出部
２１６  演算部
２１７  表示制御部
２１８  記憶制御部
２３１  光源部
２３２  センサー部
２４１  表示領域
２６１  第１操作部
２６１ａ  電源ボタン
２６１ｍ  測定ボタン
２６１ｔ  基準色ボタン
２６２  第２操作部
２６２ｄ  下ボタン
２６２ｍ  メニューボタン
２６２ｕ  上ボタン
Ｄ１  データ群
Ｄ２  基準色データ
Ｐ１  プログラム
【図４】
2016090530.tif 000003
【図８】
2016090530.tif 000004
【図９】
2016090530.tif 000005
【図１０】
2016090530.tif 000006
【図１】
2016090530.tif 000007
【図２】
2016090530.tif 000008
【図３】
2016090530.tif 000009
【図５】
2016090530.tif 000010
【図６】
2016090530.tif 000011
【図７】
2016090530.tif 000012